(57)【要約】【課題】通信端末の内部で動作する複数の無線リンク標準信号の間のタイミングの同期化。【解決手段】多くの特殊化された回路又は特定用途集積回路を共通のタイミング標準に同期させるためのシステム及び方法が、提供される。システムは、第１のタイプの通信経路において第１及び第２のタイミング信号を受信するために、及び第２のタイプの通信経路上でデータを送信するために構成される、少なくとも第１及び第２のタイプの通信経路を含む第１の通信装置を含む。データは、受信された第１のタイミング信号と関連して送信される。コントローラ又は信号プロセッサ素子は、第１の装置に接続され、第２のタイミング信号を受信するために且つそれからタイミング・ワードを生成するために構成される。第２の通信装置は、プロセッサに接続され、第２のタイミング信号を受信するために且つそれからタイミング・ワードを生成するために構成される。第２の通信装置は、タイミング・ワード及び送信されたデータを受信し、そこから同期情報を導き出す。導き出された同期情報は、第１のタイミング信号に関係付けられる。第２の通信装置は、受信された第２のタイミング信号及び導き出された同期情報に従って１つ以上の動作を実行する。
2005537714.tif 000002
【特許請求の範囲】
【請求項１】
少なくとも第１及び第２のタイプの通信経路を具備し、該第１のタイプの通信経路において第１及び第２のタイミング信号を受信するために且つ該第２のタイプの通信経路上でデータを送信するために構成され、該データは受信された第１のタイミング信号に関連して送信される、第１の通信装置；
第２のタイミング信号を受信するために且つ該第２のタイミング信号からタイミング・ワードを生成するために構成された第１の通信装置に接続された、プロセッサ；及び
少なくとも第１のタイプの通信経路を具備し、プロセッサに接続され且つタイミング・ワードを受信するために、送信されたデータを受信するために及びそこから同期情報を導き出すために構成され、該同期情報は第１のタイミング信号に関係付けられ、及び受信された第２のタイミング信号並びに導き出された同期情報に従って１つ以上の動作を実行するための、第２の通信装置、
を具備する装置。
【請求項２】
第１のタイプの通信経路は、順方向リンクを具備する、及び第２のタイプの通信経路は、逆方向リンクを具備する、請求項１記載の装置。
【請求項３】
第１及び第２のタイミング信号は、それぞれパイロット信号及び同期チャンネル・メッセージ信号を具備する、請求項１記載の装置。
【請求項４】
第１及び第２の通信装置は、それぞれ第１及び第２の特定用途集積回路を具備する、請求項１記載の装置。
【請求項５】
１つ以上の動作は、第２の通信装置と関連したタイミング情報を少なくとも導き出すことを具備する、請求項１記載の装置。
【請求項６】
受信されたタイミング・ワードは、経路遅延を補償するための調節手段を具備する、請求項１記載の装置。
【請求項７】
少なくとも第１及び第２のタイプの通信経路を含み、該第１のタイプの通信経路を介して第１及び第２のタイミング信号を受信するために且つ該第２のタイプの通信経路上でデータを送信するために構成され、該データは受信された第１のタイミング信号と関連して送信される、第１の通信装置；
第１の通信装置に電気的に接続され、且つ第２のタイミング信号を受信するために及び第２のタイミング信号からタイミング・ワードを生成するために構成された、プロセッサ；及び
少なくとも第１のタイプの通信経路を含み、プロセッサに接続され、且つそこからタイミング・ワードを受信するために、送信されたデータを受信するために及びそこから同期情報を導き出すために構成され、該同期情報は第１のタイミング信号に関係付けられ、及び、受信された第２のタイミング信号並びに導き出された同期情報に従って１つ以上の通信信号を捕捉するための、第２の通信装置、
を具備する装置。
【請求項８】
第１のタイプの通信経路は、順方向リンクを具備する、及び第２のタイプの通信経路は、逆方向リンクを具備する、請求項７記載の装置。
【請求項９】
第１及び第２のタイミング信号は、それぞれパイロット信号及び同期チャンネル・メッセージ信号を具備する、請求項７記載の装置。
【請求項１０】
第１及び第２の通信装置は、第１及び第２の特定用途集積回路をそれぞれ具備する、請求項７記載の装置。
【請求項１１】
１つ以上の通信信号は、所在地決定衛星ネットワークと関連した少なくとも１つのタイミング信号を具備する、請求項７記載の装置。
【請求項１２】
受信されたタイミング・ワードは、経路遅延を補償するための調節手段を具備する、請求項７記載の装置。
【請求項１３】
プロセッサ；
第１のプロセッサ制御信号に基づいて複数の無線周波数信号を受信するために構成されたプロセッサに接続されたチューナ、該チューナは出力として選択された周波数信号を生成する；
２つ以上の第１のスイッチ出力ポートを有するプロセッサに接続され、及び第２のプロセッサ制御信号を受信するために、チューナから選択された周波数信号を受信するために、並びに２つ以上の第１のスイッチ出力ポートの間で受信された選択された周波数信号を選択的に切り替えるために構成された、第１のスイッチ；
マイクロプロセッサ、チューナ及び第１のスイッチに接続された第１の回路、該第１のスイッチは：
２つ以上の第１のスイッチ出力ポートの第１番目に接続され、入力ポートを経由して選択された周波数信号を受信するために構成された入力ポートを有し、該受信された選択された周波数信号は第１のタイプのタイミング成分及び同期ワードを具備し、該同期ワードはプロセッサへ出力され、該プロセッサはそれに応答して第２のタイプのタイミング成分を生成する、第１の受信経路、
第１及び第２のタイミング成分を受信するために、受信された該第１及び第２のタイミング成分に応答して第１の同期動作を実行するために、及び該第１の同期動作に従って同期点を生成するために構成された時間トラッキング装置、
そこから通信メッセージを受信するために、及び通信メッセージに従ってデータ・シーケンスを発生させため且つ同期点及び通信メッセージに基づいて対比されたデータ・シーケンスを生成する時間トラッキング装置にデータ・シーケンスを与えるために構成されたプロセッサに接続された、符号発生器、及び
対比されたデータ・シーケンスを受信するために且つそこから同期されたデータ・ストリームを生成するために構成され、第１の送信経路出力ポートを使用して同期されたデータ・ストリームを送信するために構成される、第１の送信経路；
を具備し；
プロセッサ及び第１の送信経路出力ポートに電気的に接続され、２つ以上の第２のスイッチ出力ポートを具備し、且つ第３のプロセッサ制御信号を受信するために、同期されたデータ・ストリームを受信するために、及び２つ以上の第２のスイッチ出力ポートの間で受信された同期されたデータ・ストリームを選択的に切り替えるために構成される第２のスイッチ；
第１番目と第２番目の第３のスイッチ入力ポート及び１個の出力ポートを具備する第３のスイッチ、ここにおいて、該第１番目の第３のスイッチ入力ポートは２つ以上の第１のスイッチ出力ポートの第２番目に接続され且つ該第２番目の第３のスイッチ入力ポートは第２のスイッチ出力ポートの１つに接続され、該第３のスイッチは第４のプロセッサ制御信号を受信するために、該第１番目の第３のスイッチ入力ポートを使用して選択された周波数信号を受信するために、及び該第２番目の第３のスイッチ入力ポートを使用して同期されたデータ・ストリームを受信するために構成される；
プロセッサ及び第３のスイッチに接続された第２の回路、該第３のスイッチは：
入力ポートから同期されたデータ・ストリームの選択された１つ及び選択された周波数信号を受信するために構成される第３のスイッチ出力ポートに接続された入力を有する第２の受信経路、及び
第２の受信経路の出力に接続され、且つ同期されたデータ・ストリームが第２の受信経路において受信された場合に同期されたデータ・ストリームの存在を検出するために構成されたコリレータ、該コリレータは出力として同期されたデータ・ストリームを与える、を具備する；及び
コリレータの出力に接続された第１の入力及びマイクロプロセッサに接続された他の１の入力を有する時間測定メカニズム、該時間測定メカニズムはコリレータから同期されたデータ・ストリームを受信するために、プロセッサから同期ワードを受信するために、及びそこからタイミング・ウィンドウを導き出すために構成される、
を具備する装置。
【請求項１４】
第１のタイプのタイミング成分は、疑似不規則雑音レベル・タイミング情報を具備する、請求項１３記載の装置。
【請求項１５】
第１及び第２の受信経路は、順方向リンクを具備する、請求項１３記載の装置。
【請求項１６】
第１の送信経路は、逆方向リンクを具備する、請求項１３記載の装置。
【請求項１７】
少なくとも第１及び第２のタイプの通信経路を含む第１の通信装置、少なくとも第１のタイプの通信経路を含む第２の通信装置、及びプロセッサを含むシステムにおいてタイミング信号を捕捉するための方法であって、該方法は：
第１の通信装置の第１のタイプの通信経路において第１及び第２のタイミング信号を受信する；
第１の通信装置の第２のタイプの通信経路からデータを送信する、該データは受信された第１のタイミング信号に関連して送信される；
プロセッサにおいて第２のタイミング信号を受信し且つ該第２のタイミング信号をタイミング・ワードに変換する；
（ｉ）送信されたデータ及びそこから導き出された同期情報、及び（ｉｉ）タイミング・ワードを第２の通信装置において受信する；及び
受信された送信されたデータ及びタイミング・ワードに従って1つ以上の動作を実行する、
ステップを具備する。
【請求項１８】
第１及び第２のタイミング信号は、パイロット信号及び同期チャンネル・メッセージをそれぞれ具備する、請求項１７記載の方法。
【請求項１９】
第１のタイプの通信経路は、順方向リンクを具備し、及び第２のタイプの通信経路は、逆方向リンクを含む、請求項１７記載の方法。
【請求項２０】
データは、同期タイミング・ワードを具備する、請求項１７記載の方法。
【請求項２１】
第１及び第２の無線リンク・モードで動作させるために構成された通信装置；
少なくとも第１の無線リンク・モードの期間に通信装置との通信を容易にするために適応させられた少なくとも第１及び第２のタイプの通信経路；
ここにおいて、通信装置は、（ｉ）第１のタイプの通信経路上で第１及び第２のタイミング信号を受信するために、該第１及び第２のタイミング信号をそれぞれ表わす第１及び第２のタイミング信号データは通信装置メモリ中に記憶される、及び（ｉｉ）第２のタイプの通信経路上で通信データを送信するために、該通信データは第１のタイミング信号データに従って送信される、構成される；
ここにおいて、第２の無線リンク・モードは、第２の無線リンク・モードの動作の期間に通信装置との通信を容易にするために構成された少なくとも第１のタイプの通信経路を含む；
ここにおいて、第２の無線リンク・モードの第１のタイプの通信経路は、送信された通信データを受信するために且つそこから第１のタイプの同期情報を生成するために構成される；
第２の無線リンク・モードの期間に作動のために且つ第１のタイプの同期情報を受信するために構成されたタイミング・メカニズム；及び
通信装置に接続され、且つメモリ中に記憶された第２のタイミング信号データを受信し、そこから第２のタイプの同期情報を生成するために構成されたプロセッサ、該プロセッサは作動の期間に第２のタイプの同期情報をタイミング・メカニズムに与える、
を具備する装置。
【請求項２２】
第１及び第２の無線リンク・モードは、衛星、ＣＤＭＡ、Ｗ‐ＣＤＭＡ、及びＧＳＭベースの無線通信システムの少なくとも１つと適合性を具備する、請求項２１記載の装置。
【発明の詳細な説明】
【技術分野】
【０００１】
本発明は、一般に、無線通信ネットワークに係わる。特に、本発明は、複数の無線リンク又は多重モード電話機をサポートする無線通信端末と関連する回路におけるタイミングを同期させるための方法及び装置に関する。
【背景技術】
【０００２】
現在、異なる地上施設（terrestrial）ベースの無線通信システム及び異なる人工衛星ベースの無線通信システムを含む、多くの異なるタイプの無線電話機又は無線通信システムがある。異なる地上施設ベースの無線システムは、個人通信サービス（Personal Communication Service）（ＰＣＳ）及びセルラ・システムを含むことができる。公知のセルラ・システムの例は、セルラ・アナログ式新型移動電話システム（Analog Advanced Mobile Phone System）（ＡＭＰＳ）、及び以下のディジタル・セルラ・システム：符号分割多元アクセス（Code Division Multiple Access）（ＣＤＭＡ）システム；時分割多元アクセス（Time Division Multiple Access）（ＴＤＭＡ）システム；及びＴＤＭＡとＣＤＭＡの両方の技術を使用するより新規の複合型ディジタル通信システム、を含む。
【０００３】
多元アクセス通信システムにおけるＣＤＭＡ技術の使用は、“衛星又は地上中継器を使用するスペクトル拡散多元アクセス通信システム”と題する、米国特許番号第４，９０１，３０７号並びに“ＣＤＭＡセルラ電話システムにおける信号波形を発生させるためのシステム及び方法”と題する、米国特許番号第５，１０３，４５９号に開示され、それらは、両方とも、本発明の譲受人に譲渡され、この中に、引用文献として組み入れられる。
【０００４】
ＣＤＭＡ移動通信を提供するための方法は、米国において、電気通信工業会により、 “２重モード広帯域スペクトル拡散セルラ・システムのための移動局‐基地局適合性標準”と題する、ＴＩＡ／ＥＩＡ／ＩＳ‐９５‐Ａ、ここではＩＳ‐９５と呼ばれる、に標準化された。統合ＡＭＰＳ及びＣＤＭＡシステムは、ＴＩＡ／ＥＩＡ標準ＩＳ‐９８に記載される。他の通信システムは、ＩＭＴ‐２０００／ＵＭ、即ち国際移動電気通信システム２０００／統一移動電気通信システム（International Mobile Telecommunications System 2000/Universal Mobile Telecommunications system）、広帯域ＣＤＭＡ（ＷＣＤＭＡ）、（例えば、ｃｄｍａ２０００  １ｘ若しくは３ｘのような）ｃｄｍａ２０００又はＴＤ‐ＳＣＤＭＡと呼ばれるものの範囲を取り扱う標準、に記載される。
【０００５】
上記の特許において、各々がトランシーバを有する非常に多くの移動局ユーザが、衛星中継器又は地上基地局を経由して通信する、ＣＤＭＡ技術が、開示される。衛星中継器は、ゲートウェイとして公知であり、地上基地局は、セル基地局又はセル・サイトとして公知である。ゲートウェイは、ユーザ端末を他のユーザ端末へ又は公衆電話交換ネットワークのような、他の通信システムのユーザへ接続するための通信リンクを提供する。ＣＤＭＡ通信を使用することにより、周波数スペクトラムは、多数の端末により使用されることができ、このように、システム・ユーザ容量を増大させる。ＣＤＭＡ技術の使用は、他の多元アクセス技術を使用して達成されることができるスペクトラム効率よりも、結果として、はるかに高いスペクトラム効率をもたらす。
【０００６】
一般的なＣＤＭＡ通信システムにおいて、遠隔ユニットと基地局は、両方とも、高周波数疑似雑音（ＰＮ）符号、直交ウォルシュ符号、又はその両方を用いて、送信されたデータの変調及び復調を使用して相互に同時に受信された信号を区別する。例えば、順方向リンク、即ち、基地局から移動局への方向、において、ＩＳ‐９５は、各々の送信に対して異なるウォルシュ符号の使用により、同じ基地局からの異なるユーザに対する送信を異なるチャンネルへ分離し、一方において、異なる基地局からの送信は、固有のオフセットＰＮ符号の使用により識別される。逆方向リンク、即ち、移動局から基地局への方向、において、異なるＰＮシーケンスが異なるチャンネル又はユーザ端末を識別するために使用される。
【０００７】
順方向ＣＤＭＡリンクは、パイロット・チャンネル、同期チャンネル、１つ以上のページング・チャンネル、及び非常に多くのトラヒック・チャンネルを含む。逆方向リンクは、アクセス・チャンネル及び多くのトラヒック・チャンネルを含む。パイロット・チャンネルは、パイロット信号として公知のビーコン信号を送信し、ＣＤＭＡ規格に準拠した基地局の存在を移動局に注意を喚起するために使用される。移動局がパイロット信号を良好に捕捉した後で、移動局は、それから、フレーム・レベル同期及びシステム時間、等を達成するために、同期チャンネルを受信し、且つ復調することができる。同期チャンネルは、基地局を具体的に確認する反復メッセージを搬送し、システム・レベル・タイミングを与え、パイロット信号の絶対位相を与える。この特徴は、下記に非常に詳細に議論される。ページング・チャンネルは、ページング・チャンネルがトラヒック・チャンネルに割り当てられていないとき、通信チャンネルを割り当てるために、且つ移動局と通信するために、基地局により使用される。最終的に、個々の移動局に割り当てられたトラヒック・チャンネルは、音声及びデータのような、ユーザ通信トラヒックを搬送するために使用される。
【０００８】
ＣＤＭＡシステムにおいて適切に通信するために、選択された特定の符号の状態は、基地局及び移動局で同期されなければならない。符号レベル同期は、移動局システムでの符号の状態が基地局における符号の状態と同じであり、処理及び送信の遅延の原因となるオフセットより小さいときに、達成される。ＩＳ‐９５において、このような同期は、各基地局から、一意的にオフセットされたＰＮ符号（パイロットＰＮ符号）の反復送信を具備するパイロット信号の送信により容易にされる。パイロットＰＮ符号レベルで同期を容易にすることに加えて、パイロット・チャンネルは、パイロット・チャンネル位相オフセットを使用して、その周りに位置する他の基地局と相対的に各基地局の識別を可能にする。従って、パイロット・チャンネルは、第１レベルの詳細なＰＮシーケンス・タイミング情報へのアクセスを移動局に提供する。
【０００９】
移動局は、最初に、限定可能な検索ウィンドウの内部の有効なパイロット信号を検索することにより、ＩＳ‐９５に基づく通信システムを捕捉する。異なる基地局と関連するパイロット信号は、パイロット信号の位相（時間オフセット）に基づいて、相互に識別される。このように、各基地局は、同一のパイロット信号を送信するが、異なる基地局からのパイロット信号は、異なる位相を有する。９ビット数は、パイロット位相を認識するために使用されることができ、パイロット・オフセットと呼ばれる。
【００１０】
移動電話機が有効なパイロット信号を捕捉し、そのパイロット信号を特定の基地局と関連させた後で、移動局は、同期チャンネルを受信し且つ復調することができる。移動局にパイロット信号の位相及びその関連した基地局の識別を与えることに加えて、同期メッセージは、ＣＤＭＡシステム・レベル・タイミング情報も含む。システム時間が、多くの異なるタイミング・ソースを経由して与えられることができるが、従来の無線通信システムは、各基地局に配置された全世界測位システム（global positioning system）（ＧＰＳ）衛星システムを経由してシステム・タイミング情報を導き出す。
【００１１】
移動電話機の利便性及び利用可能性に部分的に起因して、米国において、連邦通信委員会（Federal Communications Commission）（ＦＣＣ）は、現在、無線通信システム（wireless communication system）（ＷＣＳ）プロバイダが９１１の通話を最寄りの緊急サービス処理センタへ自動的に転送する機構を構築することを要求する。これは、Ｅ９１１要求と呼ばれる。この要求に適応させるために、ＷＣＳは、移動電話機又は無線装置の地理的所在地を迅速に且つ正確に決定することが可能でなければならない。従来のＷＣＳは、一般的に、ハンドセット・ベースの解決法又はネットワーク・ベースの解決法のどちらかとして呼ばれるものを使用して、ユーザの又は移動局の所在地を決定する。
【００１２】
従来から使用されているハンドセット・ベースの方法は、一般に、ユーザ所在地情報を与えるためのＧＰＳ能力に依存する。しかしながら、このＧＰＳ解決法は、屋内又は主要市街地域におけるような、衛星の交信可能範囲（coverage）が制限される又は不明瞭にされる地域において、性能及び利用可能性の劣化を露呈する。ＧＰＳ解決法は、しかも、所在地決定をすることが比較的緩慢であり、費用が嵩むことがある。ネットワーク・ベースの解決法は、移動局から複数の固定基地局へ送信される信号に依存する。しかしながら、ここでの制限は、複数の基地局の要求である。このように、ユーザが限定された基地局通信可能範囲の地域にいるならば、ネットワーク・ベースの解決法を使用して所在地情報を与えることは、問題となる。
【００１３】
ＧＰＳベースの解決法に関して考慮すべきもう１つの問題点は、ＧＰＳ捕捉装置が、全体を検索するために、異なる符号、タイミング、等を包含する、実質上多くの検索空間を有することがあることである。ＧＰＳ信号を捕捉するために試験されるべき必要がある種々のタイミングに関するタイミング・ウィンドウのサイズは、著しく大きい可能性がある。これは、信号タイミングを捕捉ため又はＧＰＳ測定を実行するために要求されるよりも、多くの時間を必要とし、且つ測定の精度にも影響する。
【００１４】
従って、必要とされるものは、従来から使用された所在地決定技術の欠点を除去するためのシステム及び方法である。特に、必要とされるものは、多重モード２重化回路、又は複数のＡＳＩＣの間で正確な時間を共有することができる、ＡＳＩＣ無線装置を構築するシステム及び装置である。信号処理回路の間でのシステム時間を共有することは、所在地決定の処理を迅速化し、且つ全体のＷＣＳネットワークに亘るシステム時間の同報通信を容易にする。しかも、必要とされるものは、同じ移動電話機の内部で複数のＡＳＩＣの間でのＷＣＳシステム時間を共有することを容易にするために構成され且つ取り決められた多重モード電話機である。この方法で構成され且つ取り決められたシステム及び方法は、上に議論されたＧＰＳ解決法及びネットワーク・ベースの解決法の両方の観点に適応させることができ、且つＥ９１１の特徴及び／又はＣＤＭＡから広帯域ＣＤＭＡ（Ｗ‐ＣＤＭＡ）へのような、タイムリなシステム間の移譲をサポートのためのタイムリで且つ正確な所在地データを備える。
【発明の開示】
【００１５】
［サマリー］
例示的な実施形態は、第１のタイプの通信経路を介して第１及び第２のタイミング信号を受信し且つ第２のタイプの通信経路上でデータを送信するために適合させられた、少なくとも第１及び第２のタイプの通信経路を有する第１の通信装置を使用する装置及び方法を具備する。データは、受信された第１のタイミング信号と関連して送信される。いくつかの実施形態において、第１のタイプの通信経路は、順方向リンクを具備し、第２のタイプの通信経路は、逆方向リンクを含む。第１及び第２のタイミング信号は、それぞれ、パイロット及び同期チャンネル・メッセージ信号を具備することができる。
【００１６】
プロセッサは、第１の通信装置に接続され、第２のタイミング信号を受信し且つタイミング・ワードを生成するために構成される。タイミング・ワードは、例えば、経路遅延を補償するための調整に関係する情報を具備することができる。少なくとも第１のタイプの通信経路を有する第２の通信装置は、プロセッサに接続され、タイミング・ワード及び送信されたデータを受信し且つ同期情報を導き出すために適合させられる。結果としての導き出された同期情報は、第１のタイミング信号に関係し、プロセッサは、受信された第２のタイミング信号及び導き出された同期情報に従って１つ以上の動作を実行する。実行される動作は、第２の通信装置と関連したタイミング情報を導き出すことを具備する。あるいは、動作は、受信された第２のタイミング信号及び導き出された同期情報に従って１つ以上の通信信号を捕捉することを具備する。いくつかの実施形態において、１つ以上の通信信号は、少なくとも位置決め衛星ネットワークと関連するタイミング信号を具備する。
【００１７】
例示的な実施形態において、第１及び第２の通信装置は、第１及び第２の特定用途集積回路を具備する。
【００１８】
装置は、第１のプロセッサ制御信号に基づいて、多数の無線周波数信号を受信するため且つ出力として選択された周波数信号を生成するための、プロセッサに接続されたチューナを更に具備できる。プロセッサに接続された第１のスイッチは、第２のプロセッサ制御信号、チューナからの選択された周波数信号を受信し、２つ以上の出力ポートの間で選択された周波数信号を選択的に切り替える。
【００１９】
この実施形態において、第１の回路は、プロセッサ、チューナ、及び第１のスイッチに接続され、且つ選択された周波数信号を受信するために第１のスイッチ出力ポートに接続された、順方向通信リンクであることがある、第１の受信経路を具備する。選択された周波数信号は、第１のタイプのタイミング成分、及び応答して第２のタイプのタイミング成分を生成するプロセッサへ出力される同期ワード（synchronization word）を具備する。タイミング成分は、例えば、疑似不規則雑音レベル・タイミング情報を具備することができる。時間トラッキング装置は、第１及び第２のタイミング成分を受信するために、応答して第１の同期動作を実行するために、且つ第１の同期動作に従って同期点を生成するために構成される。プロセッサに接続された符号発生器は、そこから通信メッセージを受信し、且つデータ・シーケンスを発生させ、それを同期点及び通信メッセージに基づいて対比されたデータ・シーケンスを生成する時間トラッキング装置に与える。逆方向通信リンクであることがある第１の送信経路は、対比されたデータ・シーケンスを受信するために、同期されたデータ・ストリームを生成するために、及び第１の送信経路出力ポートを使用して同期されたデータ・ストリームを送信するために構成される。
【００２０】
第２のスイッチは、プロセッサに及び第１の送信経路出力ポートに電気的に接続され、２つ以上の第２のスイッチ出力ポートを有し、第３のプロセッサ制御信号及び同期されたデータ・ストリームを受信するために、及び２つ以上の第２のスイッチ出力ポートの間で受信された同期されたデータ・ストリームを選択的に切り替えるために構成される。２つの第３のスイッチ入力ポート及び１つの出力ポートを具備する第３のスイッチは、第２番目の第１のスイッチ出力ポートに接続された第１の入力ポート、及び第２のスイッチ出力ポートの１つに接続された第２のスイッチ入力ポートを有する。第３のスイッチは、第４のプロセッサ制御信号、第１番目の第３のスイッチ入力ポートを使用して選択された周波数信号、及び第２番目の第３のスイッチ入力ポートを使用して同期されたデータ・ストリームを受信するために構成される。
【００２１】
この実施形態において、第２の回路も、プロセッサに接続され、第３のスイッチは、選択された同期されたデータ・ストリームの１つ及び選択された周波数信号を受信するために第３のスイッチ出力ポートに接続された入力を有し、順方向通信リンクであることがある、第２の受信経路、及び受信されたときに同期されたデータ・ストリームの存在を検出するために、且つ出力として同期されたデータ・ストリームを与えるために構成された第２の受信経路の出力に接続されたコリレータ、を具備する。時間測定メカニズムは、コリレータからの同期されたデータ・ストリーム及びプロセッサからの同期ワードを受信するために、且つそれからタイミング・ウィンドウを導き出すために、コリレータの出力に接続された入力及びプロセッサに接続されたもう１つの入力を有する。
【００２２】
タイミング信号を捕捉するための方法は、第１の通信装置の第１のタイプの通信経路を介して、パイロット信号及び同期チャンネル・メッセージのような、第１及び第２のタイミング信号を受信すること、及び第１の通信装置の第２のタイプの通信経路を介して、受信された第１のタイミング信号と関連付けられて送信されるデータを送信することを具備する。第１のタイプの通信経路は、例えば、順方向通信リンクであることがあり、第２のタイプの通信経路は、逆方向通信リンクであることがある。第２のタイミング信号は、プロセッサにおいて受信され、タイミング・ワードに変換される。送信されたデータ、導き出された同期情報、及びタイミング・ワードは、第２の通信装置において受信され、１つ以上の動作が、受信された送信されたデータ及びタイミング・ワードに従って実行される。
【００２３】
更なる実施形態は、少なくとも第１の無線リンク・モードの期間に、通信を容易にするために適合させられた少なくとも第１及び第２のタイプの通信経路を用いて、衛星、ＣＤＭＡ、Ｗ‐ＣＤＭＡ、及びＧＳＭベースの無線通信システムのもののような、第１及び第２の無線リンク・モードで動作させるために構成された通信装置を具備する。通信装置は、第１のタイプの通信経路上の第１及び第２のタイミング信号を、通信装置メモリに記憶されている第１及び第２のタイミング信号をそれぞれ代表する第１及び第２のタイミング信号データを受信するために、及び第２のタイプの通信経路上で第１のタイミング信号データに従って送信される通信データを送信するために構成される。第２の無線リンク・モードは、第２の無線リンク・リンク・モードの動作の期間に、通信装置との通信を容易にするために構成された少なくとも第１のタイプの通信経路を含み、送信された通信データを受信するため、且つそれから第１のタイプの同期情報を生成するために構成される。タイミング・メカニズムは、第２の無線リンク・モードの期間に作動させるために、且つ第１のタイプの同期情報を受信するために構成され、及び通信装置に接続されたプロセッサは、メモリに記憶された第２のタイミング信号データを受信するために、且つ作動の期間にタイミング・メカニズムへ与えられる、第２のタイプの同期情報をそれから生成するために構成される。
【００２４】
本発明の特徴及び利点は、Ｅ９１１をサポートする迅速なＧＰＳ測定を実行するための多重モード２重チップ電話機を提供する能力を含む。ＷＣＳシステム時間を共有することは、複数の処理回路又はＡＳＩＣの間で適応させるのみならず、１個の再構成可能な多重モードＡＳＩＣの内部でも適応させることができる。複数のＡＳＩＣ間で及び１個の再構成可能なＡＳＩＣにおけるＷＣＳシステム時間を共有することは、ＧＰＳの捕捉を可能にし、同様に、より迅速に且つより正確に他のタイプのサービスを可能にする。最終的に、ＷＣＳシステム時間を共有することは、移動電話機がＧＰＳ測定を実行することによる通話の途絶の頻度を最小にする。
【発明を実施するための最良の形態】
【００２５】
明細書に組み込まれその一部を構成する添付図面は、本発明の実施形態を図説し、記述とともに、本発明の目的、利点、及び原理を説明する。
【００２６】
本発明の以下の詳細な説明は、この発明と整合性がある例示的な実施形態を説明する添付図面を参照する。他の実施形態は、可能であり、変更は、本発明の精神及び範囲の内で実施形態に行われることができる。従って、以下の詳細な説明は、本発明を限定することを意味しない。もっと正確に言えば、本発明の範囲は、特許請求の範囲により規定される。
【００２７】
下記に説明されるように、実施形態が、ハードウェア、ソフトウェア、ファームウェア、及び／又は図面に図示されたエンティティ（entity）の多くの異なる実施形態において実施されることができることは、技術的に精通した人には明白である。本発明を実施するために特別に制御されたハードウェアを用いた任意の実際のソフトウェア符号は、本発明を限定しない。このように、本発明の動作及び性質は、実施形態の変更及び変形が、この中に詳細に述べられたレベルで、可能であることを理解するように説明される。
【００２８】
本発明の実施形態を詳細に説明する前に、実施形態が実施されることができる環境例を説明することは、役に立つ。本発明の実施形態は、特に、移動通信環境において有用である。図１は、このような環境を図示する。
【００２９】
図１は、基地局１１２、２つの衛星１１６ａ及び１１６ｂ、並びに２つの関連するゲートウェイ（また、ここではハブとして呼ばれる）１２０ａ及び１２０ｂを含む、例示的な無線通信システム（ＷＣＳ）１００のブロック図である。これらの要素は、ユーザ端末１２４ａ、１２４ｂ、及び１２４ｃとの無線通信に携わる。一般的に、基地局及び衛星／ゲートウェイは、別個の地上施設及び衛星ベースの通信システムの構成要素である。しかしながら、これらの別個のシステムは、全体的な通信基盤施設として相互運用することができる。
【００３０】
基地局１１２は、地上施設ベースの通信システム及び複数のＰＣＳ／セルラ通信セル・サイトを含むネットワークの一部を形成することができる。基地局１１２は、移動ユーザ端末へ又は移動ユーザ端末から地上ＣＤＭＡ又はＴＤＭＡ信号を送信し又は受信する、地上施設ベースのＣＤＭＡ又はＴＤＭＡ（又は複合ＣＤＭＡ／ＴＤＭＡ）ディジタル通信システムと関連することができる。地上信号は、ＩＭＴ‐２０００／ＵＭＴ標準（即ち、国際移動電気通信システム２０００／統一移動電気通信システム標準）に従ってフォーマット化されることができる。地上信号は、広帯域ＣＤＭＡ信号（ＷＣＤＭＡ信号と呼ばれる）、又は（例えば、ｃｄｍａ２０００  １ｘ又は３ｘ標準のような）ｃｄｍａ２０００標準に準拠する信号、又はＴＤ‐ＳＣＤＭＡ信号であることができる。他方において、基地局１１２は、アナログ・ベースの通信信号を送信し且つ受信する、（ＡＭＰＳのような）アナログ・ベースの地上通信システムと関連することができる。
【００３１】
図１は、１つの基地局１１２、２つの衛星１１６、及び２つのゲートウェイ１２０を図示するが、他の数のこれらの要素は、要望された通信容量及び地理的範囲を実現するために採用されることができる。例えば、ＷＣＳ１００の例示的な実施は、非常に多くのユーザ端末１２４にサービスを提供するために、低地球軌道（Low Earth Orbit）（ＬＥＯ）において８つの異なる軌道面を移動する４８個以上の衛星を含む。
【００３２】
用語、基地局及びゲートウェイは、しかも、時々、相互交換可能に使用され、各々は、固定中央通信局であり、衛星中継器を経由して通信を管理する高度に特殊化された基地局としてこの分野において認められている、ゲートウェイ１２０のような、ゲートウェイを用いる。一方で、基地局１１２のような、（時々、セル・サイトとも呼ばれる）基地局は、周囲の地理的領域の内部で通信を管理するために地上アンテナを使用する。
【００３３】
ユーザ端末１２４は、それぞれが、セルラ電話機、無線ハンドセット、データ・トランシーバ、又はページング若しくは所在地決定受信器、のような、装置又は無線通信装置を有する又は具備するが、それに限定されない。更に、ユーザ端末１２４の各々は、希望に応じて、手持ち型、車載型（乗用車、トラック、ボート、列車、及び航空機を含む）のように可搬型又は固定型であることができる。例えば、図１は、ユーザ端末１２４ａを固定型電話機として、ユーザ端末１２４ｂを手持ち型可搬型装置として、及びユーザ端末１２４ｃを車載型装置として図示する。無線通信装置は、しかも、選択次第で、時々、ユーザ端末、移動局、移動ユニット、加入者ユニット、移動無線若しくは無線電話機、無線ユニット、又はある通信システムにおいては単に‘ユーザ’及び‘移動体’と呼ばれる。
【００３４】
ユーザ端末１２４は、ＣＤＭＡ通信システムを経由してＷＣＳ１００中の他の素子との無線通信に携わる。しかしながら、本発明は、時分割多元アクセス（ＴＤＭＡ）、及び周波数分割多元アクセス（ＦＤＭＡ）又は上記に列記された他の波形若しくは技術（ＷＣＤＭＡ、ＣＤＭＡ２０００…）のような、他の通信技術を採用するシステムに採用されることができる。
【００３５】
一般に、基地局１１２又は衛星１１６のような、ビーム源からのビームは、事前に規定されたパターンで異なる地理的地域を覆う。ＣＤＭＡチャンネル又は‘サブ‐ビーム（sub-beam）’とも呼ばれる、異なる周波数のビームは、同じ領域を一部重複するように管理されることができる。複数の衛星に関するビーム交信範囲（beam coverage ）若しくはサービス・エリア、又は複数の基地局に関するアンテナ・パターンが、通信システム設計及び提案されるサービスのタイプ、並びに空間ダイバーシティが達成されているかどうかに依存して、所与の領域において完全に又は部分的に重複するように設計され得ることも、技術的に精通した人達によって容易に理解される。
【００３６】
図１は、いくつかの例示的な信号経路を図示する。例えば、通信リンク１３０ａ−ｃは、基地局１１２とユーザ端末１２４との間の信号の交換を与える。同様に、通信リンク１３８ａ−ｄは、衛星１１６とユーザ端末１２４との間の信号の交換を与える。衛星１１６とゲートウェイ１２０との間の通信は、リンク１４６ａ−ｄにより容易にされる。
【００３７】
ユーザ端末１２４は、基地局１１２及び／又は衛星１１６との双方向通信に携わることが可能である。そのように、通信リンク１３０及び１３８は、各々、順方向リンク及び逆方向リンクを含む。順方向リンクは、ユーザ端末１２４へ情報信号を搬送する。ＷＣＳ１００における地上施設ベースの通信に関して、順方向リンクは、リンク１３０を介して基地局１１２からユーザ端末１２４へ情報信号を搬送する。ＷＣＳ１００に関係して、衛星ベースの順方向リンクは、リンク１４６を介してゲーウェイ１２０から衛星１１６へ且つリンク１３８を介して衛星１１６からユーザ端子１２４へ情報を搬送する。このように、地上施設ベースの順方向リンクは、一般的に、１個の無線信号経路を含み、一方において、衛星ベースの順方向リンクは、一般的に、２つの経路又はリンクを含む。
【００３８】
ＷＣＳ１００に関連して、逆方向リンクは、ユーザ端末１２４から基地局１１２又はゲートウェイ１２０のどちらかへの情報信号を搬送する。ＷＣＳ１００における順方向リンクと同様に、逆方向リンクは、一般的に、地上施設ベースの通信に関して１個の無線接続を必要とし、衛星ベースの通信に関して２つの無線接続を必要とする。ＷＣＳ１００は、低データ・レート（ＬＤＲ）及び高データ・レート（ＨＤＲ）サービスのような、これらの順方向リンクを介して異なる通信の提供を特徴とすることができる。例示的なＬＤＲサービスは、１秒当り３キロビット（ｋｂｐｓ）から９．６ｋｂｐｓのデータ・レートを有する順方向リンクを提供し、一方において、例示的なＨＤＲサービスは、６０４ｋｂｐｓ程度に高いか又はそれより高いデータ・レートをサポートする。
【００３９】
ＨＤＲサービスは、本質的に、突発的（bursty）である。即ち、ＨＤＲリンクを介して伝えられるトラヒックは、予測できないやり方で突然開始し且つ終了することがある。このように、ある瞬間において、ＨＤＲリンクは、ゼロｋｂｐｓで動作し、次の瞬間において、６０４ｋｂｐｓのような、非常に高いデータ・レートで動作されることがある。
【００４０】
上に説明されたように、ＷＣＳ１００は、ＣＤＭＡ技術に従って、無線通信を実行する。このように、リンク１３０、１３８、及び１４６の順方向及び逆方向リンクを介して送信された信号は、ＣＤＭＡ伝送標準に従って、エンコードされ、拡散され、且つチャンネル化された（channelized ）信号を搬送する。更に、ブロック・インタリービングは、これらの順方向及び逆方向リンクを介して採用されることができる。これらのブロックは、２０ミリ秒のような、事前に決定された時間を有するフレームで送信される。
【００４１】
基地局１１２、衛星１１６、及びゲートウェイ１２０は、それらがＷＣＳ１００の順方向リンクを介して送信する信号の出力を調節することができる。この出力（ここでは、順方向リンク送信出力と呼ばれる）は、ユーザ端末１２４から受信された信号、要請、又は命令に応答して、及び時間に従って、変更されることができる。この経時変化の特徴は、フレーム毎のベースで採用されることができる。このような出力調節は、特定の要求内に順方向リンク・ビット誤り率（ＢＥＲ）を維持するため、干渉を低減させるため、及び送信出力を節約するために実行される。
【００４２】
例えば、ゲートウェイ１２０ａは、衛星１１６ａを経由して、ユーザ端末１２４ｃに対して行うものとは異なる順方向リンク送信出力で、ユーザ端末１２４ｂへ信号を送信することができる。更に、ゲートウェイ１２０ａは、各々の連続するフレームに関してユーザ端末１２４ｂ及び１２４ｃへの順方向リンクの各々の送信出力を変更することができる。
【００４３】
図２は、受信可能地域（footprint ）としても公知の、例示的な衛星ビーム・パターン２０２を図示する。図２に示されるように、例示的な衛星受信可能地域２０２は、１６個のビーム２０４1−２０４16を含む。各ビームは、通常ある程度のビームの重複があるが、特定の地理的地域を覆う。図２に示される衛星受信可能地域は、内側ビーム（ビーム２０４1）、中間ビーム（ビーム２０４2−２０７7）、外側ビーム（ビーム２０４8−２０４16）を含む。ビーム・パターン２０２は、特定のビーム２０４と各々が関連する特定の事前に規定された利得パターンの配置である。
【００４４】
ビーム２０４は、説明の目的のみのために、重複がない地理的な形状を有するように図示される。実際のところ、ビーム２０４は、図２に示された理想化された境界線をかなり越えて拡がる利得パターン輪郭を各々が有する。しかしながら、これらの利得パターンは、これらの図示された境界線を越えると減衰させられ、その結果、一般的に、所与の“境界線”の外側のユーザ端末１２４との通信をサポートするために有意の利得を与えない。
【００４５】
ビーム２０４は、他のビームに近接することに基づいて異なる領域を及び／又は他のビーム利得パターン内部の位置を、各々が有すると考えられる。例えば、図２は、中央領域２０６及び交差領域２０８を有するビーム２０４2を図示する。交差領域２０８は、ビーム２０４1、２０４3、２０４7、２０４8、２０４9、及び２０４10の接近した近接する、ビーム２０４2の一部分を含む。この近接により、交差領域２０８（他のビームにおける同様な領域と同じように）の内部のユーザ端末１２４は、中央領域２０６にあるユーザ端末１２４よりも、隣接するビームへハンドオフする可能性が高い。しかしながら、交差領域２０８のような、ハンドオフ可能性領域の内部のユーザ端末１２４は、しかも、隣接するビーム２０４における通信リンクから干渉を受ける可能性がより高い。
【００４６】
図３は、瞬間的な発明（instant invention ）において使用される例示的な移動電話機１２４ｂのより詳細な説明図である。上述されたように、移動電話機１２４ｂは、多くの無線通信標準に従って動作することが可能な、多重モード又は多帯域移動電話機である。本出願は、主として、ＣＤＭＡ  ＩＳ‐９５及びＬＥＯ衛星通信の適用可能性に焦点を絞るが、このような標準に限定されない。多くの他の無線リンク標準、例えば、広帯域ＣＤＭＡ（Ｗ‐ＣＤＭＡ）、移動通信に関する世界的システム（global system for mobile communications）（ＧＳＭ）、又は他の適切な無線通信標準、が、適応させられることができる。
【００４７】
図３の例示的な移動電話機１２４ｂは、ＷＣＳ１００と関連付けられた無線リンク標準に適合する高周波（ＲＦ）周波数域（frequencies ）で動作するためにアンテナ３０６を含む。例示的な移動電話機１２４ｂは、移動電話機１２４ｂ及びＷＣＳ１００と互換性のある複数の異なる無線リンク標準の間で選択するために使用される、多数のモード選択スイッチ３０２、３０４、及び３０５を含む。最終的に、例示的な移動電話機１２４ｂは、スピーカ３０８、ディスプレイ・パネル３１０、キーパッド３１２、及びマイクロホン３１４のような、他の標準特徴を含むことができる。モード選択スイッチ３０２は、例えば、地上無線リンク通信モードを選択するために使用され、モード選択スイッチ３０４は、衛星無線リンク通信モードを選択するために使用される。モード選択スイッチ３０５は、Ｅ９１１緊急応答モードを作動するために使用される。
【００４８】
しかしながら、技術的に精通した人達は、本発明の実施形態は、このような手動で操作されるモード選択又は緊急応答作動に限定されないこと、を容易に理解する。選択は、一般的に、特定のモードが無線装置上のスイッチ又は１つ以上のボタンの組み合わせを使用して選択される、手動の装置ユーザ入力の結果として生じる。他方において、ある値、パラメータに基づいてそのようなモードの選択を生じさせる事前に選択された若しくは事前に記憶された命令又は方法のステップを処理すること、又は基準を変更することは、モード選択回路又はスイッチを起動するために使用されることがある。例えば、ユーザに有害であることを示している無線装置への衝撃又は損傷の検出、過度のｇ力（自動車事故）の検出、無線装置への温度（被爆）のような局所的環境条件における劇的な変化は、そのような緊急要請を作動するために又は作動メカニズムを要請するために、ある無線装置において使用されることがある。種々のタイプの音声若しくはオーディオ信号作動素子又はプログラムも、要望されれば、使用されることができる。
【００４９】
上述されたように、米国において、移動電話サービス・プロバイダが、移動電話機１２４ｂのような、移動電話機を使用して行われた全ての９１１通話に関する事前に決定されたパラメータの範囲内の所在地情報を与えることが可能であることを、ＦＣＣは、要求する。Ｅ９１１サービスに対して所在地情報を与える要求を満足させるために、ＷＣＳ１００は、ＬＥＯ衛星１１６ａ及び１１６ｂにより部分的に提供される情報を利用する。移動電話機１２４ｂは、種々の信号処理回路若しくは機能回路素子、コントローラ、又は受信器／送信器、コリレータ、及び変調器／復調器のようなモジュールを使用して、ＬＥＯ衛星とＧＰＳ衛星の両方からの情報を処理するために要求された、多重モード機能性を実施することができる。１個のソフトウェア再構成可能な特定用途集積回路（ＡＳＩＣ）、ソフトウェア規定の無線機（software defined radio）（ＳＤＲ）、又はフィールド・プログラマブル・ゲート・アレー（ＦＰＧＡ）型無線機は、使用される可能性があるが、図４は、モード・スイッチ３０２及び３０４により選択された、２つ以上の異なる無線リンク標準に適応させるために、２つの異なるＡＳＩＣを使用する実施形態を図示する。無線装置は、特定の課題を達成するために各々が専用の、２つ以上のＡＳＩＣ又は回路若しくは装置のセットを使用することができる。
【００５０】
図４は、移動電話機１２４ｂに使用するための例示的なＡＳＩＣ構成のブロック図４００である。図４において、第１のＡＳＩＣは、モード・スイッチ３０２により選択された地上無線リンク通信を実施するために使用される。ＡＳＩＣ４０２は、順方向リンク・チャンネル４０５及び逆方向リンク・チャンネル４０６をサポートする。順方向リンクは、先に議論されたように、移動電話機トラヒックを適応させる。順方向リンク・トラヒックは、基地局１１２のような、サービスを提供している基地局で発生し、移動電話機１２４ｂのような、受信するユーザ端末又は無線装置へ送信される。同様に、逆方向リンクは、移動電話機から基地局への方向にトラヒックを搬送するために使用される。逆方向リンク４０６も、ＡＳＩＣ４０２から送信された逆方向リンク情報を、移動電話機１２４ｂの他の部分へ伝送するためのスイッチ４０８を含む。
【００５１】
第２のＡＳＩＣ４０４は、例えば、移動電話機１２４ｂのモード・スイッチ３０４により選択された衛星通信モードに適応させるために与えられる。第２のＡＳＩＣ４０４も、順方向リンク４１２及び逆方向リンク４１４を含む。順方向リンク４１２は、第１のＡＳＩＣ４０２の逆方向リンク４０６から転送された、タイミング・データ４１８を受信するためのスイッチ４１６を含む。スイッチ４０８は、スイッチ４１６を経由して第２のＡＳＩＣ４０４の順方向リンク４１２に直接、タイミング・データ４１８を介入させ（interject）、挿入し、又は追加するための導管（conduit）として使用される。第１のＡＳＩＣ４０２からのタイミング・データ４１８の注入は、第２のＡＳＩＣ４０４に最も正確なシステム・タイミング情報を与え、このように、一旦、スイッチ４１６が新規の信号の捕捉を可能にさせるように設定されると、順方向リンク４１２上の新規の無線回線標準と関連するそれ自身に対する別々のタイミング情報を捕捉するために必要とされる、検索前提の時間及びサイズを、第２のＡＳＩＣ４０４が、低減させることを可能にする。
【００５２】
例えば、移動電話機１２４ｂ、又は通信システム若しくは他の素子のユーザが、モード選択スイッチ３０４を使用して選択されたＬＥＯモードを使用して通信している間に、モード選択スイッチ３０５を使用してＥ９１１特徴を作動するとき、別々のタイミング情報の要求が、不可欠である。ＡＳＩＣ４０２からシステム・タイミング情報４１８を受信することにより、ＡＳＩＣ４０４は、ＧＰＳ測定を実行する時間を低減させ、精度を増大させることができる。換言すれば、本発明は、第１のＡＳＩＣ４０２及び第２のＡＳＩＣ４０４を同じシステム基準時間に同期させる。
【００５３】
技術的に公知のように、システム基準時間は、一般的に、ＧＰＳのような、しかしそれに限定されない、“世界時間”源から導き出され、ＷＣＳ１００のような、通信システムの構成要素及び動作を同期させるために使用される。本実施形態の技術の利点は、割込みハンドシェイク（interrupt handshake ）方法のような他の技術を使用して提供されることができるより高いタイミング精度にある。即ち、従来の技術を使用して、第２のＡＳＩＣ４０４は、最初に無線回線を捕捉し、それから、任意の先験的（a priori）タイミング情報の恩恵なしに、順方向リンク４１２上で受信された無線回線信号からもっぱらにタイミング情報を導き出す必要がある。この受信される無線リンク信号は、順方向リンク４１２が、第１のＡＳＩＣ４０２と関連するＲＦ源から第２のＡＳＩＣ４０４と関連するＲＦ源へ切り替えられるときに与えられる。
【００５４】
これらの従来の技術は、順方向リンク・パイロット信号を捕捉し、受信し、復調し、識別するために、大量のオーバヘッド時間を必要とする。更に多くの時間が、続いて起こる同期チャンネル・メッセージを復調し、それから、適切なタイミング情報を抽出するために必要とされる。しかしながら、この実施形態の技術は、これらの追加の処理ステップを実行するために必要なオーバヘッド時間を除去する。例えば、他の技術は、第２のＡＳＩＣ４０４と関連するタイミングを推測するために使用可能であるが、このような推測は、本発明の実施形態により達成されるように、ＧＰＳの捕捉及び測定を実行するために必要とされるレベルの精度を決して与えない。実施形態の動作は、より詳細に下記に説明される。
【００５５】
ユーザは、移動電話機１２４ｂのモード・スイッチ３０５を起動させることにより、Ｅ９１１特徴を作動させる。この結果、第１のＡＳＩＣ４０２は、確立された９１１音声通話上の順方向リンク信号４０５を復調する。しかしながら、同時に、第２のＡＳＩＣ４０４は、Ｅ９１１緊急応答モードをサポートする所在地情報を与えるために、ＧＰＳ測定をしなければならない。この測定を迅速に且つ正確に実行するために、第２のＡＳＩＣ４０４は、例えば、ＣＤＭＡシステム時間を含む可能性がある、ＬＥＯシステム時間にそれ自身を同期させなければならない。しかしながら、上述されたように、順方向リンク信号４０５が、異なるＲＦ周波数であるので、第２のＡＳＩＣ４０４は、第１のＡＳＩＣ４０２と関連するＬＥＯ信号を復調することができない。従って、タイミング・データは、本質的に、第１のＡＳＩＣ４０２の逆方向リンク４０６からの信号を乗っ取る（hijack）ことにより、第１のＡＳＩＣ４０２から第２のＡＳＩＣ４０４へ切り替えられなければならない。
【００５６】
第１のＡＳＩＣ４０２は、例えば、ゼロの長符号マスク（long-code mask of zero）と一般的に呼ばれるものを使用して、ＣＤＭＡ順方向リンクＰＮシーケンスを発行する（emit）ためにプログラムされる。この処理を容易にするために、スイッチ４０８は、逆方向リンク４０６を第１のＡＳＩＣ４０２から、第２のＡＳＩＣ４０４の順方向リンク４１２に切り替えるために備えられる。これは、信号ディジタル基底帯域周波数で、又は信号がアナログ形式に変換された後か、のどちらかでなされることができる。第２のＡＳＩＣ４０４は、それから、実際には、第１のＡＳＩＣ４０２の逆方向リンク４０６から乗っ取られた信号４１８である順方向リンク・パイロット信号を本物として感知するものを、検索し、捕捉することができる。
【００５７】
次に、第２のＡＳＩＣ４０４は、ＰＮ符号変化（始端で再開始）に自身の時間を同期させる又はタイミング・データ信号４１８を繰り延べる。既知のハードウェア遅延が与えられているので、第２のＡＳＩＣ４０４は、現在、ＣＤＭＡシステム時間が、約２６．６ミリ秒に等しいシステム・フレーム周期の内であるか、及び要望された解決であるかを知る。この処理は、それらが同じＰＮシーケンスを共有している限り、第１及び第２のＡＳＩＣ４０２及び４０４が、正確なタイミング情報を交換することを可能にする。処理システム４００のより詳細な図は、図５に図示され、以下に議論される。
【００５８】
図５において、処理システム４００は、一般にプログラム可能であり、第１及び第２の出力ポート５０２ａ及び５０２ｂ、並びに１個の入力ポート５０２ｃを含む、プロセッサ、マイクロプロセッサ、又はコントローラ５０２、を含む。マイクロプロセッサ５０２は、第１及び第２のＡＳＩＣ４０２及び４０４の間の動作を同期させるために、出力ポート５０２ａ及び５０２ｂからの信号を与えることにより、システム４００の動作を制御する。示されたように、マイクロプロセッサ５０２は、第１及び第２のＡＳＩＣ４０２及び４０４、チューナ５０３、スイッチ５０４、並びに、図４にも示されるように、スイッチ４０８及び４１６に接続される。移動電話機１２４ｂは、２つ以上の無線リンク標準に適合するが、一般に、１個のＲＦ信号フロント‐エンド構成要素を採用する。
【００５９】
チューナ５０３は、ユーザ選択された無線リンク標準と一致する信号の検索でＲＦスペクトラムを走査する。即ち、チューナ５０３は、複数のＲＦ信号５０７ａの中から所望のＲＦ信号５０７ｂを受信するために、特定の周波数に同調させることができる。チューナは、プロセッサ５０２の出力ポート５０２ａからの受信された制御信号に基づいて、所望のＲＦ信号５０７ｂを選択し、所望のＲＦ信号５０７ｂをスイッチ５０４に与える。スイッチ５０４は、リレー又はトランジスタのような、多くの適切なスイッチング装置を使用して構築されることができる。図５の例示的な実施形態において、スイッチ５０４は、制御信号に従って所望のＲＦ信号５０７ｂを選択的に切り替える。受信された制御信号に基づいて、スイッチ５０４は、所望のＲＦ信号５０７ｂを２つの出力ポート５０５又は５０６のどちらか１つに与える。
【００６０】
図５の例示的な処理システム４００において、ユーザが移動電話機１２４ｂの地上モード選択スイッチ３０２を起動させるならば、信号５０７ｂがスイッチ５０４の出力ポート５０６に与えられるとき、ＡＳＩＣ４０２は、作動される。他方において、ユーザが衛星モード選択スイッチ３０２を起動させるならば、そのときは、所望のＲＦ信号５０７ｂは、スイッチ５０４の出力ポート５０５に、続いてスイッチ４１６に与えられる。
【００６１】
上述されたように、例示的な処理システム４００における第１のＡＳＩＣ４０２は、地上通信モードに適応させるために使用される。ＡＳＩＣ４０２が、地上信号を受信し且つ処理するために必要な多くの構成要素を含むが、実施形態に特に関連があるＡＳＩＣ４０２のこれらの構成要素のみが、図５に図示される。
【００６２】
ＡＳＩＣ４０２は、受信経路（receive path）５０８を含む。受信器、自動利得制御（ＡＧＣ）モジュール、及びコリレータのような、既知の構成要素（図示されていない）を含む、受信経路５０８は、ＡＳＩＣ４０２のためのフロント−エンドとして使用される。受信経路入力ポート５０８ａは、スイッチ５０４を使用して転送される選択された周波数信号５０７ｂを受信する。適切な地上信号伝送標準により要求され且つスペクトル拡散多元アクセス技術の原理に一致するように、ウォルシュ符号及びショートＰＮ多項式は、順方向リンク信号を拡散するために、且つ順方向リンクを相互に識別するために使用される。異なる基地局は、移動局が異なる基地局からの送信を選択することを可能にさせるために、タイム−シフト型（time-shifted version）のＰＮシーケンスを使用する。順方向リンクは、技術的に公知のように、６４−１２８個までの論理チャンネル又は符号チャンネルから成る。パイロット・チャンネルは、一般に、地上システムに見られるように、符号チャンネル・ゼロである。しかしながら、より多くの符号チャンネルが採用される衛星システムにおけるように、追加のパイロット・チャンネルが、希望に応じて使用されることがある。
【００６３】
技術的に公知のように、且つこの中に、明確にする目的のために繰り返されるように、順方向リンクＰＮ符号は、６４個の別個のチャンネルを地上システムに且つ１２８個までのチャンネルを衛星システムに与えるためのウォルシュ符号、及び２15チップの長さのショート符号チップ・シーケンスを含む。ショート符号は、それ自身、２６．６ミリ秒毎に反復し、拡散するために順方向リンクに使用される。ショート符号が折り返し、それ自身反復し始める瞬間は、ＰＮロール又はロール・オーバ点と呼ばれる。逆方向リンク・チャンネル上で、ショート符号及びロング符号は、拡散するために使用される。ロング符号は、約（２42−１）個のチップの長さで、それ自身４１．４日毎に反復する。
【００６４】
本発明において、受信経路５０８は、入力ポート５０８ａでＰＮシーケンスを受信する。ＰＮシーケンスは、関連するパイロット信号の固有の位相を有する。位相合わせ情報は、受信経路出力ポート５０８ｂを介して、順方向リンク時間トラッキング装置５０９、及び復調器／デコーダ・ユニット５１０へ転送される。順方向リンク時間トラッキング装置５０９は、逆方向リンク時間トラッキング装置５１１と協力して動作する。この方式で構成される場合に、順方向リンク・タイミング及び逆方向リンク・タイミングは、統合され、直接的に一緒に結び付けられることができる。
【００６５】
順方向リンク装置５０９は、ＰＮシーケンスを含む入力データ・ストリームの着信フレームの境界線のタイミングを決定する。即ち、装置５０９は、例えば、着信フレーム数（Ｎ）の境界線が、受信経路５０８のアンテナ・コネクタ、又は転送経路におけるもう１つの指定された位置、を通過すること、同時に、逆方向リンクのフレーム数（Ｎ）のフレーム境界線が、同じアンテナ・コネクタ、又は逆方向リンク時間トラッキング装置５１１により測定されるように指定された位置、を通過すること、を決定することができる。このように、順方向リンク時間トラッキング装置５０９及び逆方向リンク時間トラッキング装置５１１は、ＰＮシーケンス・レベル（タイミング・レベル１）で、順方向及び逆方向リンク時間の間の同期を確立する。
【００６６】
上述されたように、パイロット信号が良好に捕捉されているとき、受信経路５０８は、それから、同期チャンネル・メッセージを受信することができる。同期チャンネル・メッセージは、順方向リンク時間トラッキング装置５０９へは転送されない。その代わりに、同期チャンネル・メッセージは、それが復調されることができ、メッセージ情報のコンテンツを復号することができる復調器／デコーダ５１０へ直接的に転送される。同期チャンネル・メッセージは、他のものの中で、ＣＤＭＡシステム・レベル・タイミング情報（タイミング・レベル２）を含む。このシステム・タイミング情報は、入力ポート５０２ｃを通って、マイクロプロセッサ５０２へ転送するために、マイクロプロセッサ・インタフェース５１２へ渡される。
【００６７】
マイクロプロセッサ５０２は、最終的に、タイミング・レベル２情報から、同期ワードの形式で、追加のタイミング情報を導き出す。この導き出されたタイミング情報は、下記により詳細に議論される、下流において、若しくは、それに続く処理ステップにおいて、使用される。例えば、この実施形態において、マイクロプロセッサ５０２は、システム・レベル・タイミング・データを与えるための経路５１３に沿って、追加のタイミング情報を逆方向リンク時間トラッキング装置５１１に与える。ＰＮ発生器５１５は、逆方向リンクＰＮシーケンスを逆方向リンク時間トラッキング装置５１１に与える。この時点で、逆方向リンクＰＮ符号タイミングは、装置５０９によりトラッキングされるように、順方向リンクＰＮシーケンス・タイミングに正確に接続されることができる。
【００６８】
ＰＮレベル・タイミング情報及びＣＤＭＡシステム・レベル・タイミング情報は、第１のＡＳＩＣ４０２と第２のＡＳＩＣ４０４との間で共有されることができる。２つのＡＳＩＣがシステム・レベル・タイミング情報を共有するための事前必要条件は、第１及び第２のＡＳＩＣ４０２及び４０４が両方とも、適合するＰＮシーケンスフォーマットを使用しなければならないことだけである。この事前必要条件を満足するために、ＰＮ発生器５１５は、第２のＡＳＩＣ４０４のＰＮシーケンス・フォーマットに一致するＰＮシーケンスを与えるようにプログラムされることができる。
【００６９】
互換性のあるＰＮシーケンス・フォーマットを与えるために、制御信号が、第２のＡＳＩＣ４０４により要求された固有のＰＮシーケンスフォーマットに関してＰＮ発生器５１５に対して命令を与えるために接続経路５１６に沿って、マイクロプロセッサ５０２から与えられる。この情報を用いて、ＰＮ発生器５１５は、それから、第２のＡＳＩＣ４０４のフォーマット要求に互換性のあるＰＮシーケンスを発生させる。図４及び５の例示的な実施形態を参照して上述されたように、第２のＡＳＩＣ４０４は、衛星モード選択スイッチ３０４のユーザの作動によって、衛星システムに従って動作するように構成される。従って、第２のＡＳＩＣ４０４のＰＮシーケンスのフォーマットは、衛星信号伝送標準に従って決定される。
【００７０】
衛星と互換性のあるＰＮシーケンスは、ＰＮ発生器５１５により生成され、第２のＡＳＩＣ４０４と互換性のある同期されたＰＮシーケンスを与えるために逆方向リンク時間トラッキング装置５１１においてタイミング情報と混合される。この同期されたＰＮシーケンスは、それから、送信経路５１４に与えられる。送信経路５１４は、送信器、インタリーバ、及び他の基底帯域及び／又はＩＦ構成要素のような、構成要素を含む。送信経路５１４は、逆方向リンク４０６に沿って第２のスイッチ４０８に、出力ポート５１４ａを使用してこの同期されたＰＮシーケンスを与える。第２のスイッチ４０８は、しかも、マイクロプロセッサ５０２に接続され、そこから、指令、制御信号、又は命令を受信する。プロセッサ５０２は、出力ポート５１７ａからの出力送信として同期されたＰＮシーケンスを与えるために、スイッチ４０８に指令する制御信号を与えるように構成される。あるいは、制御信号は、同期されたＰＮシーケンスをもう１つの出力ポート５１７ｂに与えるように、スイッチ４０８に指令することができる。第１のＡＳＩＣ４０２及び第２のＡＳＩＣ４０４がタイミング情報を共有するとき、スイッチ４０８は、同期されたＰＮシーケンスを出力ポート５１７ｂからスイッチ４１６に与える。
【００７１】
スイッチ４１６は、入力ポート５１８ａを経由してスイッチ５０４から入力を受信する。更に、スイッチ４１６は、もう１つの入力ポート５１８ｂを経由して同期されたＰＮシーケンスを受信する。プロセッサ５０２により転送された制御信号は、入力ポート５１８ａにおいて入力された信号５０７ｂを選択するか、又は入力ポート５１８ｂを経由してＰＮシーケンスを選択するかどうかを、スイッチ４１６に指令する。第２のＡＳＩＣ４０４が入力として信号５０７ｂを受信したならば、そのときは、第２のＡＳＩＣ４０４は、上に議論された方法で使用するためにタイミング情報を独自に捕捉し且つ導き出す必要がある。
【００７２】
他方において、図示された実施形態に関して、モード・スイッチ３０５の作動の結果として起動されたとき、第３のスイッチ４１６は、第３のスイッチ出力ポート５１８ｃを経由して第１のＡＳＩＣ４０２から受信された同期されたＰＮシーケンスを受信し、且つ転送する。９１１緊急通話が無線装置又は移動電話機１２４ｂからなされた時に、例えば、装置ユーザは、第１のＡＳＩＣ４０２におけるトラヒック・チャンネルを介してトラヒック通話で通信していることがある。従来の移動電話機において、ユーザ端末がトラヒック・チャンネルを介して通信しているならば、ユーザの現在のトラヒック通話は、中断され、第２のＡＳＩＣ４０４は、衛星システム時間と同期させ、且つＧＰＳ測定を実行するように要求される。この処理は、達成するために最大数秒かかることがあり、移動局又は無線装置が進行中のトラヒック通話を終了させることがある。
【００７３】
第１のＡＳＩＣ４０２と第２のＡＳＩＣ４０４との間の時間を調整するために図示された実施形態を使用することは、しかしながら、ＧＰＳ測定を実行するために必要な時間の量を低減させ、測定の精度を増大させる。本発明は、ＧＰＳ信号の点で議論されるが、他の無線リンク標準が信号を捕捉するために使用されることがある。
【００７４】
図５にも示されているように、第２のＡＳＩＣ４０４は、受信経路５１９及びコリレータ５２０を含む。受信経路５１９は、構成及び機能性において、第１のＡＳＩＣ４０２の受信経路５０８と同様であり、１個の入力ポート５１９ａ及び１個の出力ポート５１９ｂを含む。第２のＡＳＩＣ４０４がタイミング測定をするように要求されるとき、第１のＡＳＩＣ４０２の逆方向リンクは、入力ポート５１９ａを経由して第２のＡＳＩＣ４０４の順方向リンクに導入される。この時点で、例えば、入力ポート５１９ａに入力される正規のＰＮシーケンスを受信すること、及び続いてシステム時間を検索する代わりに、受信経路は、今度は、第１のＡＳＩＣ４０２により導き出されたＰＮシーケンス及びタイミング情報を利用することができる。
【００７５】
このＰＮシーケンスは、出力ポート５１９ｂを経由してコリレータ５２０に転送される。コリレータ５２０は、それに関連するタイミング・オフセットを決定するために、ＰＮシーケンスを検索し、又はＰＮシーケンスを局部シーケンスと対比させる。本例示的な実施形態において、コリレータ５２０は、受信経路５２１に沿ってマイクロプロセッサ５０２から制御信号を受信し、同期チャンネルを復調又はデコードしないようにコリレータに指令する。一旦、コリレータがＰＮシーケンスの存在を検出し、タイミング・オフセットを決定すると、コリレータは、ＰＮシーケンス及びオフセットを出力ポート５２０ｂからトラッキング・ループ５２２に転送する。トラッキング・ループ５２２は、ＰＮロールを決定するためにＰＮシーケンスを聴取する。一旦、ＰＮロールが検出されると、検出信号は、ＰＮロール発生器５２３に転送される。ＰＮロール発生器５２３は、検出されたＰＮロールに応答して、ＰＮロール高信号（PN roll high signal ）を生成する。
【００７６】
上に議論されたように、プロセッサ５０２がマイクロプロセッサ・インタフェース５１２から同期ワードを受信するとき、同期ワードに基づいて、導き出されたタイミング情報も、マイクロプロセッサ・インタフェース５２５によりタイミング・ブロック５２４に転送される。しかしながら、処理及び経路遅延の理由を明らかにするために、プロセッサ５０２は、タイミング技術を使用する。そこでは、導き出された同期ワードは、プロセッサ５０２とプロセッサ・インターフェース５２５との間の最大の経験された経路遅延を補償する方法で、タイミング・ブロック５２４に転送される。
【００７７】
タイミング技術を実行するとき、マイクロプロセッサ５０２は、実質的に、フレーム・シーケンスの個数（Ｘ）で、タイミング・ブロック５２４に通知し、システム時間は、（Ｙ）になる。タイミング・ブロック５２４は、しかも、ＰＮロール発生器５２３からＰＮロール高信号を受信する。このように、ＰＮロール発生器５２３からＰＮロール高信号及びインタフェース５２５を経由してタイミング技術時間タグ（tag ）を受信する、タイミング・ブロック５２４は、ＡＳＩＣ４０４における正確なシステム時間を高精度に決定できる。システム時間は、要望された分解能の精度の範囲内で決定されることができる。この高精度のシステム時間は、それから、送信経路５２７に沿って、又はＧＰＳ捕捉装置５２８に、転送される。ＧＰＳ捕捉装置５２８は、ＧＰＳ信号を受信するために、及びＧＰＳ測定を実行するために構成される。
【００７８】
説明の目的のために、ＧＰＳ捕捉装置５２８は、今度は、検索空間の数又はＧＰＳ信号を捕捉するために必要なタイミング仮定のタイミング・ウィンドウのサイズを削減するためのこのタイミング情報を使用することができる。従って、本発明を使用することにより、移動局１２４ｂは、第２のタイミング信号のような信号を捕捉するために要求されるオーバヘッド及び検索試行の数を削減することにより、ＧＰＳ信号のような、第２のタイミング信号を捕捉するために要求される時間の量を低減させることができる。
【００７９】
図６は、１個の再構成可能な多重モードＡＳＩＣ６０１を使用する、もう１つの例示的な実施形態を図示する。図６において、処理システム６００は、図５に示されたプロセッサ５０２及びチューナ５０３を含む。説明のみの目的のために、図６においてチューナ５０３は、ＩＳ‐９５無線リンク標準と関連付けられた第１のモード６０２とＷ‐ＣＤＭＡ無線リンク標準と関連付けられた第２のモード６０３との間で動作するように示される。プロセッサ５０２により与えられた制御信号は、どちらのＲＦ信号を同調させるかをチューナ５０３に指令する。例えば、第１のモード６０２において、チューナ５０３は、ＩＳ‐９５無線リンク標準と関連するＲＦ信号を受信するように構成される。受信されたＩＳ‐９５ＲＦ信号は、受信経路６０４に転送される。ここで、信号フォーマット及び内部処理は、図５を参照して議論されたものと同様である。しかしながら、システム６００において、内部処理は、ＡＳＩＣ６０２の内部で選択された特定のモードに基づいて決定される。
【００８０】
多機能モジュール６０６は、図５に示された第１のＡＳＩＣ４０２と関連する、順方向及び逆方向リンクトラッキング装置、デコーダ、並びにＰＮ発生器のインプリメンテーション（implementation：手段）を含む。モジュール６０６は、しかも、図５の第２のＡＳＩＣ４０４と関連する、コリレータ、トラッキング・ループ、及びＰＮロール信号高装置のインプリメンテーションを含む。ソフトウェアで駆動されるモード制御モジュール６１０は、ＩＳ‐９５と整合する動作のモードの選択に関するユーザの入力に基づいたＡＳＩＣ６０２を構成する。
【００８１】
この動作モードにおいて、ＩＳ‐９５第１のモード６０２と関連する全てのタイミング及び信号伝送情報は、メモリ６１２に記憶される。多機能モジュール６０６と接続された送信経路６１４は、逆方向リンク６１６に沿って通信及び信号伝送データを送信するために備えられる。しかしながら、この実施形態において、ユーザが９１１緊急通話をしようと要望する場合に、ＡＳＩＣ６０２は、ＧＰＳ捕捉モジュール６１８を使用して、ＧＰＳ信号を検索し且つ捕捉するためにモード制御モジュール６１０により再構成される。この場合に、第１のＡＳＩＣ４０２に関して上に議論されたように、メモリ６１０に記憶された全てのタイミング及び同期情報は、取り出され、そして、モード制御モジュール６１０により指令されるように、ＧＰＳ信号検索と関連して使用されることができる。このように、ＧＰＳ信号を捕捉するために必要とされる、検索ウィンドウのサイズ及び時間は、削減されることができる。
【００８２】
図７は、本発明に従って、第１のＡＳＩＣから第２のＡＳＩＣの順方向リンクに、逆方向リンク・タイミング情報を導入する、又は転送する例示的な方法７００を図示する。処理ステップ７０２において、ＣＤＭＡパイロット・チャンネル及びＣＤＭＡ同期チャンネルと関連するタイミング信号は、第１のＡＳＩＣ４０２の順方向リンクにおいて受信される。処理ステップ７０４において、関連するＰＮレベル・シーケンス・データは、受信された順方向リンクＰＮタイミングと関連する送信経路５１４を介して送信される。ＰＮシーケンス・データは、送信経路５１４の逆方向リンク４０６に沿って送信される。同期データは、同期チャンネルを介して又は同期チャンネルからの関連する同期メッセージから導き出される。
【００８３】
ステップ７０６に表示されるように、導き出された同期データは、プロセッサ５０２において受信され、転送するため且つ更に処理するために、タイミング・ワードに変換される。ステップ７０８において、送信されたデータ及びタイミング・ワードは、第２のＡＳＩＣ４０４の内部で受信され、ここにおいて、同期情報は、ステップ７１０に表示されるように、受信された送信されたデータから導き出される。ＧＰＳ信号の捕捉のような、１つ以上の動作は、ステップ７１２に表示されるように、受信されたタイミング・ワード・データに従って実行されることができる。
【００８４】
これらの実施形態の技術を使用することにより、複数のＡＳＩＣは、異なる無線リンク標準に関連するタイミング信号のより迅速な捕捉を可能にするためにシステム時間を共有することができる。この技術を使用することにより、これらの信号を捕捉し且つＧＰＳ測定をするための時間は、数秒から数ミリ秒に低減されることができる。この結果、Ｅ９１１動作又はシステム間ハンドオフの期間に通話の途絶は、最小化されることができる。
【００８５】
前の好ましい実施形態の説明は、図解及び説明を提供するが、網羅的であるように、若しくは開示された厳密な形式に本発明を限定するように意図するものではない。変更又は変形は、上記の教示に矛盾しない範囲で可能であり、本発明の実施から捕捉されることができる。
【図面の簡単な説明】
【００８６】
【図１】図１は、例示的な無線通信システムを図示する。
【図２】図２は、複数のビームを有する例示的な受信可能地域を説明する図である。
【図３】図３は、例示的な移動通信端末の説明図である。
【図４】図４は、異なる無線リンク標準のために構成された例示的なＡＳＩＣのブロック図表示である。
【図５】図５は、図４に示されたＡＳＩＣのより詳細なブロック図である。
【図６】図６は、本発明の実施形態に従って動作するように構成された１個のＡＳＩＣのブロック図である。
【図７】図７は、本発明の実施形態を実施する例示的な方法である。
【符号の説明】
【００８７】
１００…無線通信システム、１１２…基地局、１１６…衛星、１２４…ユーザ端末、１３０…通信リンク、１３８…通信リンク、１４６…リンク、２０２…ビーム・パターン、２０４…ビーム、２０６…中央領域、２０８…交差領域、３０２…モード選択スイッチ、３０４…モード選択スイッチ、３０５…モード選択スイッチ、３０６…アンテナ、３０８…スピーカ、３１０…ディスプレイ・パネル、３１２…キーパッド、３１４…マイクロホン、４００…処理システム、４０５…順方向リンク、４０６…逆方向リンク、４１２…順方向リンク、４１４…逆方向リンク、４１８…タイミング・データ、５０２ａ…出力ポート、５０２ｂ…出力ポート、５０２ｃ…入力ポート、５０５…出力ポート、５０６…出力ポート、５０７ａ…ＲＦ信号、５０７ｂ…ＲＦ信号、５０８ａ…入力ポート、５０８ｂ…出力ポート、５１３…経路、５１４ａ…出力ポート、５１６…接続経路、５１７ａ…出力ポート、５１７ｂ…出力ポート、５１８ａ…入力ポート、５１８ｂ…入力ポート、５１８ｃ…出力ポート、５１９ａ…出力ポート、５１９ｂ…出力ポート、５２０ｂ…出力ポート、５２１…受信経路、６００…処理システム、６０２…第１のモード、６０３…第２のモード、６１６…逆方向リンク、７００…例示的な方法。
【図１】
2005537714.tif 000003
【図２】
2005537714.tif 000004
【図３】
2005537714.tif 000005
【図４】
2005537714.tif 000006
【図５】
2005537714.tif 000007
【図６】
2005537714.tif 000008
【図７】
2005537714.tif 000009
【国際調査報告】
2005537714.tif 000010
2005537714.tif 000011
2005537714.tif 000012
2005537714.tif 000013
2005537714.tif 000014